(57)【要約】  大気に向けて屋根の棟に沿う凹みを介し建物の屋根を通気するための棟の通気口は、凹みに重ね合せるための隙間を有し、隙間の一方側に配置される第一のフランジ部と、隙間の他方側に配置される第二のフランジ部を有し、屋根に置かれるためのフランジ部を備える第一の棟の通気口パネルを備え、第一のフランジ部及び第二のフランジ部は、互いに鋭角であり、更に、第一の棟の通気口パネルは、フランジ部に連結され、隙間の周囲に、フランジ部から上方に延びる側部を有し、フランジ部と離間する関係で蓋部を維持するためのフレーム部と、フレーム部に接続され、隙間を覆う蓋部と、蓋部とフランジ部の間に延在し、隙間と大気の間に横に配置され、隙間の一方側に配置される第一の波形のフィルタープレートと、蓋部とフランジ部の間に延在し、隙間と大気の間に横に配置され、隙間の他方側に配置される第二の波形のフィルタープレートと、を備え、波形のフィルタープレートは、大気と隙間の間に空気の通路を提供し、波形のフィルタープレートを通じる大気中の粒子の移動を遮断する一方、波形のフィルタープレートを通じる空気の移動を促すために十分な孔サイズを有する。【選択図】  図１
2019536928.tif 000002
【特許請求の範囲】
【請求項１】
屋根の棟に沿う凹みを介し、大気に向けて建物の屋根を通気するための棟の通気口であって、
棟の通気口は、
凹みに重ね合せるための隙間を有し、隙間の一方側に配置される第一のフランジ部と、隙間の他方側に配置される第二のフランジ部を有し、屋根に置かれるためのフランジ部を備える第一の棟の通気口パネルを備え、第一のフランジ部及び第二のフランジ部は、互いに鋭角であり、
更に、第一の棟の通気口パネルは、
フランジ部に連結され、隙間の周囲に、フランジ部から上方に延びる側部を有し、フランジ部と離間する関係で蓋部を維持するためのフレーム部と、
フレーム部に接続され、隙間を覆う蓋部と、
蓋部とフランジ部の間に延在し、隙間と大気の間に横に配置され、隙間の一方側に配置される第一の波形のフィルタープレートと、
蓋部とフランジ部の間に延在し、隙間と大気の間に横に配置され、隙間の他方側に配置される第二の波形のフィルタープレートと、
を備え、
波形のフィルタープレートは、大気と隙間の間に空気の通路を提供し、波形のフィルタープレートを通じる大気中の粒子の移動を遮断する一方、波形のフィルタープレートを通じる空気の移動を促すために十分な孔サイズを有する、
棟の通気口。
【請求項２】
凹みに沿い第一の棟の通気口パネルに隣り合うよう配置する第二の棟の通気口パネルを更に備え、
第二の棟の通気口パネルは、
凹みに重ね合せるための隙間を有し、隙間の一方側に配置される対応する第一のフランジ部と、隙間の他方側に配置される対応する第二のフランジ部を有し、屋根に置かれるための第二のフランジ部を備え、対応する第一のフランジ部及び対応する第二のフランジ部は、互いに鋭角であり、
更に、第二の棟の通気口パネルは、
第二のフランジ部に連結され、隙間の周囲に、第二のフランジ部から上方に延びる側部を有し、第二のフランジ部と離間する関係で第二の蓋部を維持するための第二のフレーム部と、
第二のフレーム部に接続され、隙間を覆う第二の蓋部と、
第二の蓋部と第二のフランジ部の間に延在し、隙間と大気の間に横に配置され、隙間の一方側に配置される、対応する第一の波形のフィルタープレートと、
第二の蓋部と第二のフランジ部の間に延在し、隙間と大気の間に横に配置され、隙間の他方側に配置される、対応する第二の波形のフィルタープレートと、
を備え、
対応する波形のフィルタープレートは、大気と隙間の間に空気の通路を提供し、対応する波形のフィルタープレートを通じる大気中の粒子の移動を遮断する一方、対応する波形のフィルタープレートを通じる空気の移動を促すために十分な孔サイズを有する、
請求項１に記載の棟の通気口。
【請求項３】
隣り合う第二の棟の通気口パネルの対応するコネクタ部に接続するために、フランジ部と蓋部上に配置される第一の棟の通気口パネルのコネクタ部を更に備え、
コネクタ部は、つながれる際、隣り合う第一及び第二の棟の通気口パネルの間に、大気中の粒子の移動を抑制するよう構成される、
請求項１に記載の棟の通気口。
【請求項４】
第一のフィルタープレート、及び第一の棟の通気口パネルに隣り合うよう置かれた第二の棟の通気口パネルの対応する第一のフィルタープレートの間にフィルタープレートコネクタを更に備え、
フィルタープレートコネクタは、隣り合う第一のフィルタープレートと対応する第一のフィルタープレートの間の大気中の粒子の移動を抑制する、
請求項１に記載の棟の通気口。
【請求項５】
第一のフィルタープレートを保持するための第一のフィルタープレートフレームと、第二のフィルタープレートを保持するための第二のフィルタープレートフレームを更に備え、
第一及び第二のフィルタープレートフレームは、蓋部とフランジ部の相対する表面の間に接触するよう配置される、
請求項１に記載の棟の通気口。
【請求項６】
第一のフィルタープレートフレーム及び第二のフィルタープレートフレームは、交換インサートとして既存の棟の通気口の中に収まるようサイズ化される、
請求項５に記載の棟の通気口。
【請求項７】
蓋部とフランジ部の間を離間する関係で置かれる一連の通気凹みを備え、
一連の通気凹みは、少なくともフランジ部と蓋部の一方に連結される、
請求項１に記載の棟の通気口。
【請求項８】
フランジ部から延びるカラーを更に備え、
カラーは、蓋部と屋根面に隣り合うフランジ部との間に、大気中の粒子の侵入を遮蔽する、
請求項７に記載の棟の通気口。
【請求項９】
フランジ部から延びるカラーを更に備え、
カラーは、蓋部と屋根面に隣り合うフランジ部との間に、大気中の粒子の侵入を遮蔽し、離間する関係によって提供される距離を単に部分的に延ばす、
請求項１に記載の棟の通気口。
【請求項１０】
第一の棟の通気口パネルのいずれか一方の端部に、隣り合う第二の棟の通気口パネルの対応するフィルタープレートを含み、第一の棟の通気口パネルのフィルタープレートの密閉を促すためのブロック部を更に備え、
ブロック部は、空気と大気中の粒子の双方の移動を遮る、
請求項１に記載の棟の通気口。
【請求項１１】
隣り合う第二の棟の通気口パネルの対応するフィルタープレートを含み、第一の棟の通気口パネルのフィルタープレートの密閉を促すための重なり部を備え、重なり部は、フィルタープレートと隣り合う対応するフィルタープレートの間の大気中の粒子の移動を遮る、
請求項１に記載の棟の通気口。
【発明の詳細な説明】
【技術分野】
【０００１】
本出願は、２０１６年１２月５日に提出された米国仮特許出願第６２／４３００５２号からの優先権を主張し、その全内容は、ここに参照によって組み込まれる。
【０００２】
本開示は、一般に、家屋のような建物の屋根に通気口を付けるための棟の通気口に関する。
【背景技術】
【０００３】
棟の通気口は、必要な通気を家屋又は他の建物の屋根に提供し、屋根若しくは屋根裏空洞への浸潤又は他の湿気の収集に起因する屋根内の濃縮を妨げる。種々の棟の通気口は、雨が通気口を通じて屋根に入ることを防ごうとする一方、建物の棟に沿って屋根と大気間に空気を導くことを許容するために、羽根、格子、フィルター、及びルーバーを利用できる。蓋やカバーの種類は、雨の侵入を防ぐガードとして働くよう使用される。しかしながら、今までのところ、従来の通気口は、特に、吹雪、暴風雨、その他の場合に、屋根裏空間への雪や雨の侵入を抑制することにおいて効果がない。
【０００４】
種々の種類の建物の建設において、木製品は、屋根用基層として広く使用される。すなわち、ＯＳＢ外壁（sheathing）又は合板のシートは、屋根用の飾りを設置するために、屋根トラス又は屋根の垂木に釘打ち又は螺子留めされ、典型的には、続いて、シート上に固定される屋根板がある。特に、住宅を建築する際、上端（peak）を含む屋根を形成し、前記上端又は棟の通気口を通じた屋根の棟で屋根裏空間の通気口を設けることも通常である。典型的には、外壁の孔は、建物の屋根裏空間に直接開放される外壁を伴い、上端に沿って設けられる。典型的に、延長されて孔を開けられ、重複するように配列される又は一連の長さに沿って延ばされる他の要素の種々の形態の棟の通気口アセンブリは、それから、上端全体に沿い、開口する外壁を覆って備え付けられる。より詳しくは、棟の通気口アセンブリは、上端の両側に沿って備え付けられるフランジを含み、屋根板の上に位置する又は屋根板に結び付けられる他のフランジを伴う。この建設と共に、屋根裏空間で収集される熱風は、住宅から棟の通気口を通じて脱出することを許容され、それにより、屋根裏空間がむしろ熱風を含みながら、所有者が住宅内の空気を冷却しようとする際、特に夏季に、より高いエネルギー効率の構造を提供する。
【０００５】
確かに、屋根は、雨水の侵入を防ぐ方法で組立てられる必要がある。それは、全体建築の態様を楽にする準備を提供するために望ましいと考えられ、棟の通気口アセンブリに隣り合う水／雪の侵入を実質的に禁止し、外壁下で動作し棟の通気口から抜け出る循環空気の遮るもののない流れを許容する。
【０００６】
公知の棟の通気口は、切妻屋根での通気溝を覆って配置され、不規則に配列される繊維を有する不織合成繊維マットを用いて典型的に形成される。それから、蓋屋根板（cap shingles）は、不織合成繊維マットを覆って取り付けられる。合成繊維マットは、水分や破片の侵入に対処する一方、切妻屋根における溝を通じて空気流を可能にさせる。しかしながら一方で、この種の通気口は、例えば雨で引き起こされた風などに起因して、屋根傾斜に達する最も多くの水分の侵入を止めることに効果的でない。
【０００７】
他の公知の棟の通気口システムは、棟の通気溝を被覆する独立気泡（closed cell）の上部要素を含む連続気泡（open-called）発泡材料を利用する。しかしながら、これは、共につなぎ合わさなければならない短い長さの形式で提供される。連続気泡内での水のメニスカス力に起因して、追加的に、発泡材料は、気泡内に水分を保持し、効果的な通風領域を減らし、そのため、棟の通気口の目的をくじく。
【０００８】
従来公知のシステムが、同時に、水分によって引き起こされる風の存在下で、棟の通気口を通じて継続する適切な（特定される最小）空気流の量、適切な遮断技術を用い、降雨によって引き起こされるそのような風を構成しない限り、使用される取り付け技術に応じて、従来公知のシステムの全ては、一般に、雨で引き起こされた風に起因して、漏出を許容し得る。降雨によって引き起こされるそのような風の屋根空洞への侵入を阻止しながら、降雨によって引き起こされる風の存在下、適切な空気流を提供する棟の空気口の設計が必要である。
【発明の概要】
【発明が解決しようとする課題】
【０００９】
従来における前述の不利益の少なくとも幾つかを取り除く又は軽減する屋根通気口を提供することが、本発明の目的である。
【００１０】
適切な屋根裏通気を促進するが、同時に、雪の粒子、水滴、屋根表面の水の流出、燃焼灰、及び／又は入口溝（gaining entry）から棟の通気口を介して屋根への空気が提供する他の好ましくない要素の侵入を抑制する、改善された棟の通気口が望まれる。
【課題を解決するための手段】
【００１１】
提供される第一の態様は、屋根内の凹みを介して大気に向かう建物の屋根を通気するための棟の通気口であって、棟の通気口は、屋根に置かれるためのフランジ部を備え、フランジ部は、前記凹みに重ねるための隙間を有し、前記隙間周囲のフランジ部から上方に延びる側部を有するフレーム部を備え、フレーム部は、フランジ部と離間された関係に蓋部を保持するためのものであり、前記蓋部は、フレーム部に接続され、前記隙間を覆い、前記蓋部と前記フランジ部との間に延び、前記隙間と前記空気との間に横に配置される波形のフィルタープレートを備え、波形のフィルタープレートは、波形のフィルタープレートを通じて空気の粒子の通過を遮断しながら、波形のフィルタープレートを通じて空気の移動を促進するために十分な孔サイズを有する。
【００１２】
提供される第二の態様は、屋根の棟に沿った凹みを介し大気に向かう建物の屋根を通気するための棟の通気口であって、棟の通気口は、第一の棟の通気口パネルと、屋根上に置かれるためのフランジ部を備え、フランジ部は、前記凹みに重ねるための隙間を備え、フランジ部は、前記隙間の一方側に配置される第一のフランジ部を有し、前記隙間の他方側に配置される第二のフランジ部を有し、その結果、第一のフランジ部と第二のフランジ部は、互いに鋭角であり、フランジ部に結合され、前記隙間周囲のフランジ部から上方に延びる側部を有するフレーム部を備え、フレーム部は、フランジ部と離間された関係に蓋部を保持するためのものであり、フレーム部に接続され、前記隙間を覆う蓋部と、蓋部とフランジ部との間に延び、前記開口と空気との間に横に配置される第一の波形のフィルタープレートと、を備え、第一の波形フィルタープレートは、前記隙間の前記一方側に配置され、蓋部とフランジ部との間に延び、前記隙間と大気との間に横に配置される第二の波形フィルタープレートを備え、第二の波形フィルタープレートは、前記隙間の前記他方側に配置され、前記波形のフィルターは、大気と前記隙間との間の空気の通路を提供し、前記波形のフィルターは、波形のフィルタープレートを通じて空気の粒子の流れを遮断しながら、波形のフィルタープレートを通じて空気の空気路を促進するために十分な孔サイズを有する。
【図面の簡単な説明】
【００１３】
先の及び他の態様は、添付の図面を関連するほんの一例として記述される。
【００１４】
【図１】図１は、棟の通気口の側端図である。
【図２】図２は、図１に示される棟の通気口の側面図である。
【図３】図３は、図２に示される棟の通気口の蓋部の断面図である。
【図４】図４は、接続されたフランジ部を含む図３に示される棟の通気口の側端図である。
【図５】図５は、図４に示される棟の通気口の透視図である。
【図６】図６は、図４に示される棟の通気口の更なる透視図である。
【図７】図７は、図１に示される棟の通気口のフィルタープレート部の部分透視図である。
【図８】図８ａは、図１に示される棟の通気口の更なる他の実施形態である。図８ｂは、図１に示される棟の通気口の更なる他の実施形態である。
【図９】図９ａは、図７に示される屋根通気口のフィルタープレートの更なる他の実施形態である。図９ｂは、図７に示される屋根通気口のフィルタープレートの更なる他の実施形態である。
【図１０】図１０は、図１の棟の通気口の隣り合うフィルタープレート間を密閉する他の実施形態を示す。
【００１５】
図面において、同種の参照番号は、異なる図面の対応する部分を示す。
【発明を実施するための形態】
【００１６】
図１を参照すると、棟の通気口アセンブリ１０は、屋根９上端の各サイドに沿って取り付けられるフランジ１２と、フランジ１２を伴い、頂上に位置する屋根板８又は屋根板８に結び合わされる他の屋根板８を含み得る。この建築に伴い、屋根裏空間６に収集される熱風は、棟の通気口アセンブリ１０を通じて住居（例えば住宅）から抜け出すことを許容し、それにより、特に夏季の間、屋根裏空間がむしろ熱風を含む一方、所有者が住宅内の空気を冷却しようとする際、より高いエネルギー効率の構造を提供する。アスファルトシングル又は屋根組成物（composition roofs）のための棟の通気口１０は、屋根９頂上に沿う屋根構造／外壁（sheathing）１１を通じて位置付けられる通気溝２８（例えば、凹み）を覆って設置される。
【００１７】
図６を参照されたい。棟の通気口アセンブリ１０は、隣り合うオス・コネクタ部１３ａ及びメス・コネクタ部１３ｂの一連を介して相互に連結され（例えば、重なり合い）、曲げられた一連のパネル１０ａ及び１０ｂとして、屋根９上端に沿って取り付けられる。その結果、隣り合うパネル１０ａ，１０ｂ間に異物（例えば、水）の侵入を抑制するため、オス・コネクタ部１３ａは、重なり合う方法でメス・コネクタ部１３ｂに受け止められる。更に、パネル１０ａ，１０ｂの各々は、棟部１３０で接合される部分１１ａ，１１ｂを有し、その結果、部分１１ａ，１１ｂは、棟の通気口１０の内側から測られた場合に互いに鋭角とされる。部分１１ａ，１１ｂの各々は、部分１１ａ，１１ｂの長さ方向に沿って広がる個別のフィルタープレート４６を有し、棟の通気口１０は、屋根９における凹み２８の両側に離れて区別できるフィルタープレート４６と、棟の通気口１０のフランジ部１２において対応する隙間２２を備える。そのため、フランジ部１２の部分１１ａ，１１ｂの各々は、棟の通気口１０の部分１１ａ，１１ｂ間で凹み２８に沿う一連の分割される隙間２２に接する。蓋部１６（棟の通気口フードとも呼ばれる）はまた、棟部１３０の両側に対応部分１１ａ，１１ｂを有することが認められる。蓋部１６の各部分１１ａ，１１ｂは、蓋部１６の裏面とフランジ部１２の上面（棟部１３０の両側で）との間で、フィルタープレート４６の位置を提供するため、フランジ部１２の各々の部分１１ａ，１１ｂから距離を置かれることが重要である。蓋部１６とフランジ部１２との間のフィルタープレート４６の近傍位置は、間隙を介する部分１２，１６間やフランジ部１２内の隙間２２を介した凹み２８への異物（例えば、水）の侵入を抑制し、一方でそれと同時に、凹み２８を介した屋根９の内側６の中及び外の双方に空気の移動を促進するものと認められる。例えば、フィルターフレーム５６は、互いに接するよう使用され、そのため、隣接通気セクション１０ａ，ｂにおけるフィルタープレート４６の隣接する長さ間の異物の侵入を抑制する側壁１５を有する（図９ａ，ｂ参照）。フィルターフレーム５６内に置かれる際、フィルタープレート４６の隣接する長さ間の異物の侵入を抑制するため、例えば、隣接する側壁１５間に、弾性シール（例えば、発泡体、ゴム）を配置し得る。フィルターフレーム５６は、組み立てられながら棟の通気口１０に取り付けられる際、蓋部１６とフランジ部１２の間に配置され得ると認められる。要望通り異物の侵入を抑制するため、弾性シールは、コネクタ１３ａ，ｂの間に配置され得る。
【００１８】
更に後述されるように、棟の通気口部分１０ａ，１０ｂの隣り合うフィルタープレート４６はまた、フィルタープレート４６（例えば、各々隣り合う通気セクション１０ａ，１０ｂそれぞれのフィルタープレート４６と隣り合うフィルタープレート）との隣接セクション間への異物の侵入を抑制するために、コネクタ（例えば、図５に示されるブロックセクション３８）を有することが明らかである。通気セクション１０ａ，１０ｂそれ自身に関して、図８ａ，ｂに示されるように、コネクタ部１３ａ，１３ｂは、蓋部１６及び／又はフランジ部１２の端部に形成され得ることが認められる。図１に示されるように、それから屋根板８は、機械的な留め具（例えば、図示されない釘など）を用いて棟の通気口１０を屋根デッキ１１に固定されるよう使用され得る。図１０を参照すると、他の実施形態において、隣り合うフィルタープレート４６は、重複領域８０に一以上の重ね合わされる折り畳み部分を有してもよく、隣り合うフィルタープレート４６の端部３３の間への異物の侵入を抑制する。例えば、フィルタープレート４６の端部３３は、重複領域８０で、隣り合うフィルタープレート４６の折り畳みライン３５に重なる。更に、例えば、フィルタープレート４６の折り畳みライン３５は、重複領域８０で、隣り合うフィルタープレート４６の折り畳みライン３５に重なり得る。
【００１９】
図１，３，４は、大気に建物の屋根９を通気するための棟の通気口１０を示す。棟の通気口１０は、屋根板１１に寄せて取り付けるフランジ部１２を含み、フランジ部１２は、建物（例えば屋根裏）の内側６から空気を通気させるための隙間２２を有する。棟の通気口１０は、図５に示されるように、隙間２２（屋根の凹み２８を含む）と支持フレーム部１４を覆うようサイズ化され構成される（dimensioned and configured）蓋部１６を支持するためにフランジ部１２から延びる一以上の支持部１４（例えば、フレーム）を有する。支持部１４は、空気が大気と隙間２２の間を通過でき、蓋部１６とフランジ部１２の間の分離距離（相対するフィルタープレート４６間の棟の通気口１０内の空気の移動に利用可能な断面領域に比例する）の減少を抑制するだけでなく、空気の流れを向かわせるために、フランジ部１２と蓋部１６の一方又は双方に配置される一連の邪魔板５０を含み得る通路（フランジ部１２と蓋部１６の間）を備えるよう構成される。棟の通気口１０はまた、例えば、棟の通気口１０の一方側で蓋部１６によって覆われ、蓋部１６及びフランジ１２の間の中央の隙間２２の一方側に配置される波形のフィルタープレート又はストリップ４６（corrugated filter plate or strip 46）を含む。波形のフィルタープレート４６は、波形のフィルター材４６を通過する（例えば、波形のフィルター材４６の一方側１９から他方側１９に）よう空気を促すのに十分だが、それらを通る雪の粒子、灰の粒子、及び／又は水滴（例えば、波形のフィルター材４６の一方側１９から他方側１９へ）の移動を抑制する細孔サイズ４７（例えば、図７に示されるような、ミシン目、孔、複数の開口部）を有し得る。
【００２０】
いずれにしても、波形のフィルター材４６の目的は、隙間２２や隣り合う凹み２８を介して大気から屋根の内側に作用する波形のフィルタープレート４６を通る望ましくない粒子／小滴（跡えば、物質の固体及び／又は液体片）の移動を抑制する一方、空気の移動を提供することであると認められる。図１及び５を参照すると、波形のフィルタープレート４６での衝突から、より大きな破片の偏向を促進するため、フランジ部１２及び／又は蓋部１６に任意の通気口２１（例えば、溝）が示される。特に、通気口２１は、フィルタープレート４６の面及び長さに沿って分布され得、蓋部１６とフランジ部１２の間の開口（例えば、分離空間）に入ろうとするより大きな破片からフィルタープレート４６への損傷を抑制するなどする。更に、フランジ部１２から突出する直立壁が、屋根板８に沿う風によって運ばれる水又は他の異物をブロックするよう使用されるため、任意に、カラー部７８（図５参照）があってもよい。この意味において、カラー７８は、屋根板８の表面に沿って運ばれる微粒子（例えば、水）遮蔽体として機能するが、しかしながら、カラー７８は、蓋部１６とフランジ部１２の間の分離距離の部分を突き出すのみであり、蓋部１６とフランジ部１２の間の空気の移動にフィルタープレート４６が触れることを可能にすると認められる。カラー部７８は、述べられるように、棟の通気口１０ａ，ｂの各々の一端から他端に延び得る。
【００２１】
屋根外壁１１に棟の通気口アセンブリ１０を留めるための留め具（釘）を配置するための留め具位置６０（例えば、釘穴）が示される。蓋部１６の留め具位置６０（例えば、穴又はしるし（indicia）等）は、支持部１４及び／又はフランジ部１２の一部として、留め具位置６０（チューブ、穴、又はしるし等）と一直線に並べられてもよいと認められる。
【００２２】
波形のフィルタープレート４６を配置／配向するための多数の異なる選択肢があってもよいと認められる。例えば、波形のフィルタープレート４６は、フランジ部１２と蓋部１６（隙間２２を被覆する）との間で上方に延びる（図５参照）ように配置され得る。この例において、波形のフィルタープレート４６の縁４１（図７参照）は、フランジ部１２と蓋部１６のそれぞれの表面１３，１７に隣り合って配置される。更に、折り畳みライン３５は、フィルタープレート４６の縁４１から他の縁４１に延びる。その上、折り畳みライン３５は、一方側３３から他方側３３へのフィルタープレート４６の長さに沿って、例えば、表面１３，１７の長さ及び屋根９の棟の長さに走る凹み２８に平行な何かに沿って順次配置される。
【００２３】
更に例えば、波形のフィルタープレート４６は、フランジ部１２及び蓋部１６（隙間２２を覆う）間に沿って（図１参照）延びるように配置され得る。この例において、波形のフィルタープレート４６の折り畳み領域４２（図７参照）は、フランジ部１２と蓋部１６のそれぞれの表面１３，１７に隣り合うそれらの長さに沿って配置される。図７に見られるように、折り畳み領域４２は、波形のフィルタープレート４６の向い合った縁４１の間に延びる。波形のフィルタープレート４６は、フランジ部１２の上面１３に接触し、蓋部１６の裏面１７に接触し、及び／又はフランジ部１２の上面１３と蓋部１６の裏面１７に接触し得ると認められる。フランジ部１２の上面１３から上方に延びる側壁１５（例えば、迫台壁（abutment wall）。図４参照。）はまた、フランジ部１２の上面１３の一部と考えられると認められる。蓋部１６の底／裏面１７から下方に延びる側壁１５はまた、蓋部１６の底／裏面１７の一部と考えられると認められる。更に、迫台壁１５は、フィルターフレーム５６（図９ａ，ｂ）の一部として含まれ得る。例えば、迫台壁１５は、互いに隣り合うフィルタープレート４６の端部３３を密閉するために使用し得る。
【００２４】
波形のもの（図７参照）は、折り目への引き寄せ又は曲げ（draws or bends）を参照し、フィルタープレート４６の表面の溝と頂上を互い違いにし得る。波形面３６はまた、ひだのある表面３６を参照する。波形面３６はまた、平行で互い違いの頂上３５と溝３５の折り曲げへの形状を参照する。折り曲げ間の接合は、きちんと定められ得るか、又は表面３６（波形フィルター材４６の表面３６のアーチ形部など。）例えば、一の折り曲げから次の方向へのアーチ形の変化。）に渡って分布され得る。例えば、波形のフィルター材４６（例えば、プレート）は、図示されるように、単一の壁のある面３６であってもよく、図示しない二重壁構造（隙間２２の一方側に配置されるように、波形面３６などを有する隣り合う壁の間の空間を持つ）であってもよい。好ましくは、波形のフィルター材４６は、大気から波形のフィルター材４６に衝突する空気の通路に露出され、隙間２２（及び建物の屋根膜１１で重なる凹み２８）並びに屋根空間６（例えば、屋根裏空間）に向けられる波形面３６を有する。好ましくは、波形のフィルター材４６は、屋根空間（例えば、屋根裏空間）の出口から波形のフィルター材４６に衝突する空気の通路に露出し、隙間２２（及び建物の屋根膜１１で重なる凹み２８）並びに大気に向けられる波形面３６を有する。
【００２５】
蓋１６（少なくとも凹み２８を覆う）に関すると共にフランジ部１２に関する波形のフィルター材４６の配置の観点から、波形のフィルター材４６は、蓋１６（例えば、蓋１６の裏面１７）及びフランジ部１２（例えば、フランジ部１２の上面１３）の双方に横断するよう配置される。そのため、波形のフィルター材４６は、表面１３，１７の一方、表面１３，１７の双方に触れ得、及び／又は、表面１３，１７のいずれとも触れない（例えば、フランジ部１２と蓋部１６の間の間隙を介する関係で蓋１６を配置するために使用され得る二次構造（例えば、フィルターフレーム５６）によって表面１３，１７間に吊るされる）ものと認められる。例えば、二次構造は、実施例のみとしてここに記述される支持部１４によって形成され得る。いずれにしても、波形のフィルター材４６は、蓋１６とフランジ部１２（例えば、棟の通気口１０の土台）の間に横断的に（全体で、一部で、その他）延びる。全体に関して、隙間２２と大気の間の空気のいずれの移動は、波形のフィルター材４６の本体を通るだろう。その代わりに、一部に関して、隙間２２と大気の間の空気の幾つかの移動は、波形のフィルター材４６の本体を通り、隙間２２と大気の間の空気の移動は、波形のフィルター材４６の本体を周回する。横断に関して、これは、横切って置かれる又は横たわる（例えば、対向面１３，１７間）、横向きに横たわる（例えば、対向面１３，１７間）、斜め（例えば、対向面１３，１７間）、左右に横切る（例えば、対向面１３，１７間）、横切る（例えば、対向面１３，１７間）、交差路（例えば、対向面１３，１７間）、横切って又は横方向に横たわる又は延びる（例えば、対向面１３，１７間）、横断（例えば、対向面１３，１７間）と呼ばれ得る。横断（例えば、対向面１３，１７間）の一例は、対向面１３，１７の各々又は双方に直角又は垂直で横たわり得る。波形のフィルター材４６は、表面１３，１７から離れて（実表面１３，１７との接触の出入のいずれか一方）延びる際、要望通り、９０°以外であってもよいとも認められる。
【００２６】
棟の通気口１０は、機械的システムを使用することなく、室内空間（例えば、屋根裏）を通る空気の供給及び除去の処理を使用するため、自然換気のための棟の通気口タイプと考えられる。棟の通気口１０によって実施される自然換気は、圧力又は温度差の結果としての室内空間への外気の移動を参照し得る。建物で起こる自然換気の二種があり得る。すなわち、風力換気及び浮力駆動換気である。風は、風力換気の主の機構であり得る一方、浮力駆動換気は、建物の室内及び室外の間の温度差に起因する方向性のある浮力の結果として起こり得る。代わりに、板ぶきアセンブリのための屋根裏換気を提供する方法が、棟の通気口１０に基づくパワーアシストのないパッシブ換気であるため、自然換気はパッシブ換気と呼ばれ得る。この方法は、第一に、空気自然対流―低密度のための熱風の上方移動―を頼りにするが、風で生成される圧力差を利用し得る。
【００２７】
自然対流は、屋根裏を通じ、棟の通気口１０を通じる空気の上昇流を開始する。仮に、屋根裏の低い位置に取り付けられた吸気口が、屋根裏の高い位置に取り付けられる通気口を通じて排出される熱風を置き換えられるより低温の空気を引き起こす場合、この気流は、屋根裏を通じる空気の連続的流れに役立つよう維持され得る。通気開口領域とほぼ等量が、下端又は軒且つ屋根裏空間の頂上又はその近くに取り付けられる際、対流に援助される通気は、効果的であり、‘平衡状態の通気’と呼ばれる。棟の通気口１０は、受動的なタイプよりむしろ電力を供給されるタイプの棟の通気口であり得ることが認められる。例えば、棟の通気口１０は、動力装置、例えば、波形のフィルタープレート４６を通じる空気の移動を支援するための対応する駆動機構（例えば、モータ）を含むファンを有する。
【００２８】
波形のフィルタープレート４６を通る空気の移動（流路）に関する正味の自由断面積に関して、複数の凹み／孔４７の全ての開領域の集合（例えば、各孔４７の断面積のそれぞれの有効開領域の合計）は、最小の正味開領域の閾値を満たすよう構成され得る。例えば、開領域の閾値は、通過する空気の通路として利用可能な流量能力（例えば、正味の自由領域）の約５０平方インチであってもよい。最小の正味開領域の閾値は、標準的に規定される閾値であってよく、建築基準に基づき、各国、地方、及び／又は州で異なってもよいと認められる。例において、波形のフィルタープレート４６が、表面１３から表面１７に延びない場合、利用可能な全ての正味自由気流領域は、波形のフィルタープレート４６における各孔４７の断面積それぞれの有効開領域、及びフィルタープレート４６の端部と隣り合う表面１３，１７の間の空隙の開断面積の集合であろう。
【００２９】
図１，３を参照すると、棟の通気口１０は、同時に屋根裏への雪、水、燃え殻、その他（望まれない粒子）の侵入を抑止し、屋根の通気を提供する。棟の通気口１０は、フランジ部１２、支持部１４（例示される実施形態として示される）、及び支持部１４を覆い、波形のフィルタープレート４６を覆うよう構成される蓋１６を有する。フランジ部１２は、好ましくは、棟の通気口１０の設置を容易にするため、屋根板１１を含む同一平面に置くよう平坦である。支持部１４は、フランジ１２から上方に（例えば、垂直に）延びる。蓋１６は、支持部１４を取り囲むが、波形のフィルタープレート４６と支持部１４の周囲を通過する大気の空気を許容するため、蓋１６とフランジ部１２の間の通気領域（例えば、溝２１）を残すようサイズ化される（dimensioned）。図３及び４を参照すると、一連のコネクタ（例えば、摘み（tabs）５２と溝（slots）５４）が、例によって示され、コネクタ５２，５４の互いの係合は、蓋部１６をフランジ部１２に結合することを提供し、それにより、その間に波形のフィルタープレート４６を挟み込む。例えば、蓋部１６に接続される摘み５２は、フランジ部１２の溝５４に連結するためのフックを有する（例えば、溝５４は、支持部１４に配置される。）。フランジ部１２に接続される摘み５２は、蓋部１６の溝５４に連結するフックを有するとも認められる（例えば、溝５４は、支持部１４に配置される。）。そのため、留め具（例えば、釘）を介して屋根板１１に留める前の単一ユニットのように、部分１２，１６の互いの組み立てを促進するため、コネクタ５０は、蓋部１６とフランジ部１２に相対する位置に設けられる。コネクタ部５０（例えば、支持部１４に配置される）を介して各部分１２，１６の組み立て前のそこの間の波形のフィルタープレート４６の挿入を含む各部分１２，１６の種々の組み立ての代替として、棟の通気口１０は、パネル１０ａ，１０ｂの各々の内側に配置される波形のフィルタープレート４６を含む一体成形パネル１０ａ，１０ｂとして一体的に形成されるものとも認められる。
【００３０】
支持部１４は、蓋１６とフランジ部１２の間の構造的硬直性を提供し得るフレーム（例えば、フレーム部１４）の一例であり、それにより、フランジ部から距離を隔てて蓋１６を保持する状態で、棟の通気口１０の構造的硬直性が提供される。フレーム部１４は、波形のフィルタープレート４６から分離されてもよい（例えば、フレーム部１４及び波形のフィルタープレート４６は、分離され、棟の通気口１０の異なる要素である。）とも認められる。フレーム部１４は、波形のフィルタープレート４６に一体化され得るとも認められる（例えば、フレーム部１４及び波形のフィルタープレート４６は、棟の通気口１０の一体化構成要素である。）。例えば、一体化された波形のフィルター材４６を伴うフレーム部１４は、蓋１６とフランジ部１２の双方に取り付けられ得るものであり、フレーム部１４は、各表面１３，１７から離れる（例えば、上方、下方、その他）ように延びる。
【００３１】
波形のフィルタープレート４６は、その表面積を増やすために波形とされる穴のあいたプレートであり、そのため、互いへの角度である折り畳み４２の異なる表面に関する多様な角度で、表面３６を通じる空気の通路を提供する。そのため、波形の表面３６は、棟の通気口１０（例えば、棟の通気口１０の端部３４の隣り合う対と、隣り合い相対する表面１３，１７との間で測られる境界表面の平面的断面積）の側部の対応する平面（細長い穴の開口２１）に比べて、より大きな表面積を有する。波形のフィルタープレート４６は、側部１９から側部１９への波形のフィルタープレート４６を通じた空気の移動を促す間、波形のフィルタープレート４６を通じた大気中の粒子の移動を抑制するために選択される孔４７サイズ（pore 47 size）を有し得る。棟の通気口１０（例えば、平面的な非波形である繊維層によって覆われる）の側方の非波形断面積の平面的な表面積に比べて、例えば、約１２０ミクロンの孔のサイズは、フィルタープレート４６の波形表面を通じた適切な空気循環を提供する間、雪の移動を抑制し得る。波形のフィルタープレート４６の材料は、表面３６は、表面１３，１７に関する延長方向（例えば、上方、離れる、向かう）にある場合、波形表面３６への粒子（例えば、雪）の付着を抑制する、限定されないステンレス鋼、アルミニウム、又は他の材料のような金属から成ってもよい。
【００３２】
図８ａ，ｂを参照すると、端部３４は、互いに隣り合って組み立てられるパネル１０ａ，１０ｂを接続するためのパネルコネクタ部１３ａ，１３ｂを有し、屋根９頂上の長さに沿う一連の棟の通気口アセンブリシステム１０を形成する。端部３４はまた、蓋部１６、フランジ部１２、蓋部１６とフランジ部１２の一部として、及び／又は棟の通気口１０の組み立て時に蓋部１６とフランジ部１２とにまとめられる分離要素として形成されるブロックセクション３８を含む。ブロックセクション３８は、部分１２，１６に類似する材料（例えば、プラスチック）で構成され得、それらは、部分１２，１６の一体部分又は分離部分として設けられてもよい。ブロックセクション３８は、大気を遮断し、そのため、穴が設けられないセクション（例えば、ブロックセクション３８を通じた気流の抑制）である。ここで、波形のフィルタープレート４６は、（棟の通気口アセンブリ１０の端部３４のいずれか一方で）相対するブロックセクション３８の間に位置し、その結果、開口２１と凹み２８の間の気流は、波形のフィルタープレート４６を通じてのみ向けられる。ブロックセクション３８の存在は、一実施形態として、屋根９頂上に沿う一連のセクションとして取り付けられる際、棟の通気口アセンブリ１０の隣り合うパネル１０ａ，１０ｂの波形のフィルタープレート４６間に途切れのない相互連結を提供する。そのため、好ましくは、隣り合う波形のフィルタープレート４６は、互いに直接接触する（例えば、図１０に代わりに示されるように、一のプレート４６の表面３６は、他の隣り合うプレート４６の表面３６に直接接触する）よりむしろ、差し込まれるブロックセクション３８を介して互いに隣接できる。
【００３３】
図３に戻り、前述されたように、波形のフィルタープレート４６（図７参照）は、開口２１の一方側サイドに配置され、類似の平面的な多孔質層によって達成され得るものより長い、表面１３，１７間の断面表面積を提供し、それにより、フィルタープレート４６を通じる空気の通路を許容することに有効なフィルター媒質の量を増やす。多くの変形例は、本発明の主要部から出発することなく発明に達せられることは言うまでもない。
【００３４】
例えば、図９ａ，ｂにおいて、フレーム部１４（フィルタープレート４６に一体化される、フィルタープレート４６から分離する、その他）を介在することによりフランジ部１２と離間する関係で配置される蓋部１６を有する棟の通気口アセンブリ１０の要素としての波形のフィルタープレート４６の別の実施形態において、波形のフィルタープレート４６は、棟の通気口１０を構成する既存の蓋１２、フレーム１４、及びフランジに、部品（例えば、既製の屋根用付属品への任意のインサートモジュール５６）として配置され得る。例えば、フランジ部１２（例えば、溝を含む）及び関連する波形のフィルター材４６は、既存の蓋１６及び／又はフランジ結合の棟の通気口１０に組み合わされる挿入部（insert）として販売される。
【００３５】
波形のフィルタープレート４６はまた、波形のフィルターストリップ４６又は波形のフィルター構造４６と呼ばれ得ることが認められる。波形のフィルタープレート４６は、既存の棟の通気口のための（傷んだフィルタープレートを交換する）交換カートリッジ５６として設けられ得ることが認められる。交換カートリッジ５６は、要望通り、図１から８ａ，ｂで提供される棟の通気口のいずれの要素と同様に、波形のフィルタープレート４６を含み得る。例えば、屋根の凹み２８を介し、建物の屋根９を大気に通気するための既存の棟の通気口１０に関する交換カートリッジ５６において、棟の通気口１０は、フレーム部１４を介し、蓋１６に接続されるフランジ部１２を有し、フランジ部１２は、屋根９に置かれ、凹み２８に重ねるための隙間２２を有する。交換カートリッジ５６は、フランジ部１２、蓋１６、又はフレーム部１４の少なくとも一つに接続されるための波形のフィルタープレート４６を備え、波形のフィルタープレート４６は、蓋１６とフランジ部１２の間に延在し、隙間２２と大気の間に入り、波形のフィルタープレート４６は、波形のフィルタープレート４６を通じた大気中の粒子の移動を遮断する一方、波形のフィルタープレート４６を通じた空気の移動を促すのに十分な孔サイズを有する。
【００３６】
屋根の棟に沿う凹みを介し大気に向けて建物の屋根を通気するための棟の通気口において、棟の通気口は、第一の棟の通気口パネル、屋根に置くためのフランジ部を備え、フランジ部は、凹みに重ね合せるための隙間を有し、フランジ部は、隙間の一方側に配置される第一のフランジ部と、隙間の他方側に配置される第二のフランジ部とを有し、第一のフランジ部及び第二のフランジ部は、互いに鋭角であって、フレーム部は、フランジ部に連結され、隙間の周囲に、フランジ部から上方に延びる側部を有し、フレーム部は、フランジ部と離間する関係で蓋部を維持し、蓋部は、フレーム部に接続され、隙間を覆い、第一の波形のフィルタープレートは、蓋部とフランジ部の間に延在し、隙間と大気の間に横に配置され、第一の波形のフィルタープレートは、隙間の一方側に配置され、第二の波形のフィルタープレートは、蓋とフランジ部の間に延在し、隙間と大気の間に横に配置され、第二のフィルタープレートは、隙間の他方側に配置され、ここで、波形のフィルタープレートは、大気と隙間の間に空気の通路を提供し、波形のフィルタープレートは、波形のフィルタープレートを通じる大気中の粒子の移動を遮断する一方、波形のフィルタープレートを通じた空気の移動を促すのに十分な孔サイズを有する。
【図１】
2019536928.tif 000003
【図２】
2019536928.tif 000004
【図３】
2019536928.tif 000005
【図４】
2019536928.tif 000006
【図５】
2019536928.tif 000007
【図６】
2019536928.tif 000008
【図７】
2019536928.tif 000009
【図８Ａ】
2019536928.tif 000010
【図８Ｂ】
2019536928.tif 000011
【図９Ａ】
2019536928.tif 000012
【図９Ｂ】
2019536928.tif 000013
【図１０】
2019536928.tif 000014
【国際調査報告】
2019536928.tif 000015
2019536928.tif 000016